(57)【要約】【課題】周辺への干渉を抑制しつつ、自局の通信相手における下り制御データの受信品質の劣化を抑制することができる基地局装置を提供すること。【解決手段】基地局装置１００は、周辺基地局装置と同一の通信方式であるＯＦＤＭ方式により通信する装置であって、直交周波数分割多重により、所定の送信期間毎に、制御情報を変調して得られる制御チャネルシンボルを生成するＰＤＣＣＨ変調部１０１と、送信期間毎に、生成された制御チャネルシンボルと送信データを変調した共通チャネルシンボルとを配置したＯＦＤＭ信号を送信する、干渉電力測定部１０３〜アンテナ１１１とを具備する。ＰＤＣＣＨ変調部１０１は、同一の制御情報に基づく重複する制御情報要素を、制御チャネルシンボルに含める。【選択図】図１
2012044531.tif 000002
【特許請求の範囲】
【請求項１】
周辺基地局装置と同一の通信方式であるＯＦＤＭ方式により通信する基地局装置であって、
直交周波数分割多重により、所定の送信期間毎に、制御情報を変調して得られる制御チャネルシンボルを生成する制御チャネル変調手段と、
前記送信期間毎に、生成された前記制御チャネルシンボルと送信データを変調した共通チャネルシンボルとを配置したＯＦＤＭ信号を送信する送信手段と、を具備し、
前記制御チャネル変調手段は、
同一の前記制御情報に基づく重複する制御情報要素を、前記制御チャネルシンボルに含める、
基地局装置。
【請求項２】
前記制御チャネル変調手段は、
前記制御情報に基づく制御情報要素と、この制御情報要素の複製とを、前記制御チャネルシンボルに含める、
請求項１記載の基地局装置。
【請求項３】
前記制御チャネル変調手段は、
前記制御情報に対して第１のマッチングパターンを用いたレートマッチングにより得られる制御情報要素と、前記制御情報に対して第２のマッチングパターンを用いたレートマッチングにより得られる制御情報要素とを、前記制御チャネルシンボルに含める、
請求項１記載の基地局装置。
【請求項４】
前記制御チャネル変調手段は、
前記送信期間毎に、前記制御チャネルシンボルに割り当てられるＯＦＤＭシンボル数の最大値の範囲内で、前記制御情報要素を重複させる、
請求項１記載の基地局装置。
【請求項５】
請求項１記載の基地局装置から前記ＯＦＤＭ信号を受信する通信端末装置であって、
前記ＯＦＤＭ信号を受信し、前記送信期間毎に、受信した前記ＯＦＤＭ信号から前記制御チャネルシンボルと前記共通チャネルシンボルとを抽出する受信手段と、
抽出された前記制御チャネルシンボルに含まれる制御情報要素から、元の制御情報を復調する制御チャネル復調手段と、を具備し、
前記制御チャネル復調手段は、
同一の前記制御情報に基づく重複する制御情報要素を合成して、元の制御情報を復調する、
通信端末装置。
【請求項６】
周辺基地局装置と同一の通信方式であるＯＦＤＭ方式により通信する基地局装置における、ＯＦＤＭ信号の送信方法であって、
直交周波数分割多重により、所定の送信期間毎に、制御情報を変調して得られる制御チャネルシンボルを生成するステップと、
前記送信期間毎に、生成された前記制御チャネルシンボルと送信データを変調した共通チャネルシンボルとを配置した前記ＯＦＤＭ信号を送信するステップと、を具備し、
前記制御チャネルシンボルを生成する上記ステップは、
同一の前記制御情報に基づく重複する制御情報要素を、前記制御チャネルシンボルに含める、
送信方法。
【発明の詳細な説明】
【技術分野】
【０００１】
本発明は、基地局装置、通信端末装置及び送信方法に関し、例えば小型基地局装置とマクロセルを形成する基地局装置との下り制御チャネルの干渉を緩和する基地局装置、通信端末装置及び送信方法に関する。
【背景技術】
【０００２】
移動体通信の通信規格の一つであるＬＴＥ（long term evolution）は、従来の通信規格と比較して、周波数利用効率の向上及び低遅延を特徴とするものであり、将来の移動体通信ビジネスの発展を支える規格として期待されている。
【０００３】
ＬＴＥの下り変調方式にはＯＦＤＭ（orthogonal frequency division multiplexing）方式が採用されており、周波数領域における情報シンボルの最小単位は１サブキャリアとなる。１２サブキャリアは、１リソースブロック（resource block）（以下、「ＲＢ」と記載する）と呼ばれ、各下りチャネルの割り当て単位となる。ＬＴＥでは、１ＲＢのフレームフォーマットを所定の周波数領域で繰り返し連続して配置することで下りチャネルを構成する。なお、繰り返し連続して配置するＲＢ数は、通信端末装置への送信情報量または下り伝播路環境に応じて、基地局装置のスケジューラにより決定される。
【０００４】
時間方向で見ると、各チャネルの送信割り当て単位は、１サブフレームと呼ばれ、ｎｏｒｍａｌ  ＣＰ（cyclic prefix）時には１４ＯＦＤＭシンボルで構成される。なお、Ｅｘｔｅｎｄｅｄ  ＣＰ時には、１サブフレームは１２ＯＦＤＭシンボルで構成される。このうち、先頭から１〜３ＯＦＤＭシンボルに制御チャネル（ＣＣＨ：control channel）（以下、「ＣＣＨ」と記載する）が割り当てられる。残りのＯＦＤＭシンボルにデータチャネル、同期チャネルまたは報知チャネルが割り当てられる。以下の説明では、データチャネルと、同期チャネルと、報知チャネルとをまとめて共通チャネル（ＳＣＨ：shared channel）（以下、「ＳＣＨ」と記載する）として記載する。ＣＣＨが割り当てられるＯＦＤＭシンボル数は、サブフレーム当たりに必要な制御情報量によって異なり、ＣＦＩ（control format indicator）によって決まる。また、参照信号（ＲＳ：reference signal）は、送信アンテナ毎に時間領域及び周波数領域で間欠的に割り当てられる。
【０００５】
一方、近年、携帯電話の不感地帯をカバーするために、ピコセル（pico cell）またはＨｏｍｅ  ｅＮＢ（以下、「小型ｅＮＢ」と記載する）と呼ばれる小型基地局装置の開発が行われている。小型ｅＮＢは主に宅内や、企業内に設置することを想定しており、収容端末数は、一般的には数個、多くても数十個程度と言われる。また、小型ｅＮＢが形成するセルは、従来のマクロ基地局装置（以下、「ＭｅＮＢ」と記載する）が形成するセルよりも小さい。また、小型ｅＮＢ及びＭｅＮＢの何れもが、上記のフレーム構成を有するＯＦＤＭ方式により、配下の通信端末装置と通信を行う。
【０００６】
従来のＭｅＮＢは、事前に通信事業者が適切な置局設計を行って基地局を設置するため、セル間干渉はさほど問題にならない。一方、小型ｅＮＢは、送信電力が小さい上、エンドユーザが任意の場所に設置可能なため、ＭｅＮＢとの干渉が大きな問題となることが想定される。特に既存のＭｅＮＢへの通信に支障を与えることはあってはならない。とりわけ、下り制御チャネルへ干渉を与えると、ＭｅＮＢの下りデータ通信のみならず、ＭｅＮＢ配下の通信端末装置（以下、「ＭＵＥ」と記載する）への報知情報または上り通信等にも重大な支障をきたす。
【０００７】
このような干渉を防ぐため、移動体通信規格の標準化団体である３ＧＰＰ（3rd generation partnership project）では、非特許文献１や非特許文献２に記載されるように、様々な技術提案がなされている。非特許文献１では、ＭｅＮＢの制御チャネルの一部をパンクチャリングする技術が提案されている。また、非特許文献２では、ＭｅＮＢが下り伝播路損失が少ないＭＵＥを特定のサブフレームに集中的にスケジューリングすることで、当該サブフレームの下り送信電力を低く抑え、小型ｅＮＢへの干渉を低減する技術が提案されている。
【先行技術文献】
【非特許文献】
【０００８】
【非特許文献１】R1-103227 " Interference coordination for control channels for HetNet "(Fujitsu)
【非特許文献２】R1-103690 " Downlink power reduction ICIC method for macro-pico co-channel deployment "(New Postcom)
【発明の概要】
【発明が解決しようとする課題】
【０００９】
しかしながら、非特許文献１においては、制御チャネルをパンクチャリングするので、制御チャネルの受信性能を低下させる上、多数のＭＵＥで共有するＭｅＮＢのリソースが逼迫するという問題がある。
【００１０】
また、非特許文献２においては、下り伝播損失が高いＭＵＥへの下り送信が特定のサブフレームに集中することになるため、そのサブフレームにおいては下り送信電力が高くなり、小型ｅＮＢは大きな干渉を受けるという問題がある。
【００１１】
本発明の目的は、周辺への干渉を抑制しつつ、自局の通信相手における下り制御データの受信品質の劣化を抑制することができる基地局装置、通信端末装置及び送信方法を提供することである。
【課題を解決するための手段】
【００１２】
本発明の基地局装置は、周辺基地局装置と同一の通信方式であるＯＦＤＭ方式により通信する基地局装置であって、直交周波数分割多重により、所定の送信期間毎に、制御情報を変調して得られる制御チャネルシンボルを生成する制御チャネル変調手段と、前記送信期間毎に、生成された前記制御チャネルシンボルと送信データを変調した共通チャネルシンボルとを配置したＯＦＤＭ信号を送信する送信手段とを具備し、前記制御チャネル変調手段は、同一の前記制御情報に基づく重複する制御情報要素を、前記制御チャネルシンボルに含める。
【００１３】
本発明の通信端末装置は、上記基地局装置から前記ＯＦＤＭ信号を受信する通信端末装置であって、前記ＯＦＤＭ信号を受信し、前記送信期間毎に、受信した前記ＯＦＤＭ信号から前記制御チャネルシンボルと前記共通チャネルシンボルとを抽出する受信手段と、抽出された前記制御チャネルシンボルに含まれる制御情報要素から、元の制御情報を復調する制御チャネル復調手段とを具備し、前記制御チャネル復調手段は、同一の前記制御情報に基づく重複する制御情報要素を合成して、元の制御情報を復調する。
【００１４】
本発明の送信方法は、周辺基地局装置と同一の通信方式であるＯＦＤＭ方式により通信する基地局装置における、ＯＦＤＭ信号の送信方法であって、直交周波数分割多重により、所定の送信期間毎に、制御情報を変調して得られる制御チャネルシンボルを生成するステップと、前記送信期間毎に、生成された前記制御チャネルシンボルと送信データを変調した共通チャネルシンボルとを配置した前記ＯＦＤＭ信号を送信するステップとを具備し、前記制御チャネルシンボルを生成する上記ステップは、同一の前記制御情報に基づく重複する制御情報要素を、前記制御チャネルシンボルに含める。
【発明の効果】
【００１５】
本発明によれば、周辺基地局装置に与える干渉を抑制しつつ、自局の通信相手における下り制御データの受信品質の劣化を抑制することができる。
【図面の簡単な説明】
【００１６】
【図１】本発明の実施の形態１に係る基地局装置の構成を示すブロック図
【図２】本発明の実施の形態１におけるＰＤＣＣＨ変調部の構成を示すブロック図
【図３】本発明の実施の形態１における制御情報要素群が連結・多重されたデータの構成を模式的に示す図
【図４】本発明の実施の形態１における下り信号のサブフレーム構成の例を示す図
【図５】本発明の実施の形態１に係る通信端末装置の構成を示すブロック図
【図６】本発明の実施の形態１におけるＰＤＣＣＨ復調部の構成を示すブロック図
【図７】本発明の実施の形態２におけるＰＤＣＣＨ変調部の構成を示すブロック図
【図８】本発明の実施の形態２におけるＰＤＣＣＨ復調部の構成を示すブロック図
【発明を実施するための形態】
【００１７】
以下、本発明の各実施の形態について、図面を参照して詳細に説明する。
【００１８】
（実施の形態１）
以下に、本発明の実施の形態１に係る基地局装置１００の構成について、図１を用いて詳細に説明する。本実施の形態では、基地局装置１００が小型ｅＮＢである場合について説明する。
【００１９】
図１は、本発明の実施の形態１に係る基地局装置１００の構成を示すブロック図である。
【００２０】
基地局装置１００は、ＰＤＣＣＨ変調部１０１と、ＳＣＨ変調部１０２と、干渉電力測定部１０３と、電力係数算出部１０４と、電力調整部１０５と、チャネル選択部１０６と、リソースマッピング部１０７と、ＩＦＦＴ部１０８と、ＣＰ付加部１０９と、ＲＦ部１１０と、アンテナ１１１と、ＰＣＦＩＣＨ／ＰＨＩＣＨ変調部１１２とから主に構成される。ＰＤＣＣＨ変調部１０１は、制御チャネル変調手段に対応する。干渉電力測定部１０３〜アンテナ１１１は、送信手段に対応する。
【００２１】
ＰＤＣＣＨ変調部１０１は、入力されたＰＤＣＣＨの制御データ（以下、「制御情報」と記載する）を変調した制御チャネルシンボル（以下、「ＣＣＨシンボル」と記載する）を電力調整部１０５へ出力する。ここでは、ＰＤＣＣＨ（physical downlink control channel）のみを扱う。ここで、本実施の形態におけるＰＤＣＣＨ変調部１０１は、制御情報から１または複数の制御情報要素（制御チャネル要素、ＣＣＥ：control channel element）から構成される制御情報要素群を生成する。そして、ＰＤＣＣＨ変調部１０１は、同一の制御情報から重複して制御情報要素群を生成し、重複する制御情報要素を含む制御チャネルシンボルを生成する。すなわち、本実施の形態におけるＰＤＣＣＨ変調部１０１は、複数の制御情報から制御情報毎に生成した複数の制御情報要素群を、連結多重して変調を行い、ＣＣＨシンボルとして電力調整部１０５へ出力する。本実施の形態に係るＰＤＣＣＨ変調部１０１の構成については後述する。
【００２２】
ＳＣＨ変調部１０２は、入力されたＳＣＨのデータ（以下、「ＳＣＨデータ」と記載する）を変調した共通チャネルシンボル（以下、「ＳＣＨシンボル」）を、チャネル選択部１０６へ出力する。ここで、ＳＣＨは、ＰＤＳＣＨと、Ｐ−ＳＣＨと、Ｓ−ＳＣＨと、ＰＢＣＨとを含む。
【００２３】
また、ＰＣＦＩＣＨ／ＰＨＩＣＨ変調部１１２は、ＨＡＲＱ(hybrid automatic repeat request)の応答信号であるＰＨＩＣＨ（physical hybrid automatic repeat request indicator channel）と、ＣＦＩ（control format indicator）を送るためのＰＣＦＩＣＨ（physical control format indicator channel）とを変調して、チャネル選択部１０６へ制御信号として出力する。
【００２４】
干渉電力測定部１０３は、図示しない受信部により受信した、周辺基地局であるＭｅＮＢから送信された参照信号に基づいて、ＭｅＮＢ（周辺基地局装置）の制御情報の送信電力による下りリンクの干渉電力を測定する。また、干渉電力測定部１０３は、測定した干渉電力の測定結果を電力係数算出部１０４へ出力する。
【００２５】
電力係数算出部１０４は、入力された干渉電力の測定結果に基づいて、ＣＣＨシンボルの送信が必要最小限の送信電力で行われるように、ＰＤＣＣＨに乗じる電力調整係数を算出する。また、電力係数算出部１０４は、算出した電力調整係数を、電力調整部１０５へ出力する。
【００２６】
電力調整部１０５は、入力されたＣＣＨシンボルに対して、電力係数算出部１０４から入力した電力調整係数を乗算することにより、ＣＣＨシンボルの送信電力を低減する処理を行う。また、電力調整部１０５は、電力調整係数を乗算したＣＣＨシンボルを、チャネル選択部１０６へ出力する。
【００２７】
チャネル選択部１０６は、入力されたサブフレーム毎のシンボル番号情報に応じて、電力調整部１０５から入力するＣＣＨシンボルと、ＳＣＨ変調部１０２から入力するＳＣＨシンボルと、ＰＣＦＩＣＨ／ＰＨＩＣＨ変調部１１２から入力する制御信号とを、切り替えて選択する。チャネル選択部１０６は、選択したＣＣＨシンボル、ＳＣＨシンボル及びＰＣＦＩＣＨ／ＰＨＩＣＨの制御信号を、リソースマッピング部１０７へ出力する。
【００２８】
リソースマッピング部１０７は、入力されたＣＣＨシンボル、ＳＣＨシンボルまたはＰＣＦＩＣＨ／ＰＨＩＣＨの制御信号を、周波数軸上に配置して、ＩＦＦＴ部１０８へ出力する。
【００２９】
ＩＦＦＴ部１０８は、入力されたＣＣＨシンボル、ＳＣＨシンボルまたはＰＣＦＩＣＨ／ＰＨＩＣＨの制御信号に対してＯＦＤＭ変調処理である逆離散フーリエ変換処理を行い、ＯＦＤＭ信号を形成する。また、ＩＦＦＴ部１０８は、形成したＯＦＤＭ信号を、ＣＰ付加部１０９へ出力する。ＯＦＤＭ信号は、例えば、後述の図３に示すように、サブフレーム毎に１４ＯＦＤＭシンボルから構成される。また、各ＯＦＤＭシンボルは、後述の図３に示すように、例えば、所定の周波数帯であるリソースブロックにおいて１２サブキャリアから構成される。
【００３０】
ＣＰ付加部１０９は、ＩＦＦＴ部１０８から入力したＯＦＤＭ信号の後半部をＣＰとして複製し、複製したＣＰをＯＦＤＭ信号の先頭に配置する。また、ＣＰ付加部１０９は、ＣＰ付きＯＦＤＭ信号に対して、隣接シンボル間の連続性を保持するために、窓関数を乗じる。また、ＣＰ付加部１０９は、窓関数を乗じたＯＦＤＭ信号をＲＦ部１１０へ出力する。
【００３１】
ＲＦ部１１０は、入力されたＯＦＤＭ信号を、ベースバンド信号から高周波信号に周波数変換して、アンテナ１１１へ出力する。
【００３２】
アンテナ１１１は、入力された高周波信号を、後述する通信端末装置２００へ送信する。
【００３３】
図２は、ＰＤＣＣＨ変調部１０１の構成を示すブロック図である。
【００３４】
ＰＤＣＣＨ変調部１０１は、ＣＲＣ付加部３１０と、符号化部３２０と、情報重複部３３０と、連結多重部３４０と、スクランブリング（scrambling）部３５０と、ＱＰＳＫ変調部３６０と、インタリーブ（interleave）部３７０と、サイクリックシフト（cyclic shift）部３８０とから主に構成される。これらの機能部のうち、ＣＲＣ付加部３１０、符号化部３２０及び情報重複部３３０は、制御情報毎に設けられるか、または、制御情報毎に個別処理を行う。
【００３５】
ＣＲＣ付加部３１０は、入力された制御情報のＣＲＣを算出し、このＣＲＣを付加した制御情報を、符号化部３２０へ出力する。
【００３６】
符号化部３２０は、入力された制御情報を符号化し、符号化した制御情報を、情報重複部３３０へ出力する。
【００３７】
情報重複部３３０は、入力された制御情報から複数の重複した制御情報要素群を生成する。情報重複部３３０は、本実施の形態では、レートマッチング（rate matching）部３３１及びレピティション（repetition）部３３２を有する。
【００３８】
レートマッチング部３３１は、符号化部３２０から入力された制御情報に対し、定められた大きさ（制御情報要素の大きさの整数倍）の情報量（ビット数）にするためにパンクチャリング（puncturing）を行う。これにより、１または複数の制御情報要素から構成される制御情報要素群が生成される。また、レートマッチング部３３１は、制御情報に対してパンクチャリングを行って生成した制御情報要素群を、レピティション部３３２へ出力する。
【００３９】
レピティション部３３２は、入力された制御情報要素群の複製を作成し、同一の制御情報に基づく複数の制御情報要素群を、連結多重部３４０へ出力する。
【００４０】
連結多重部３４０は、各情報重複部３３０から入力された複数の制御情報に関する制御情報要素群を連結・多重して、スクランブリング部３５０へ出力する。
【００４１】
例えば、図３（Ａ）に示すように、入力された制御情報が４つであり、各レピティション部３３２が複製を１回ずつ行う場合を想定する。この場合、図３（Ｂ）に示すように、連結多重部３４０は、元の４つの情報制御要素群に、その複製（repetition）として４つの制御情報要素群を追加した、８つの情報制御要素群に対して、連結・多重を行うことになる。
【００４２】
スクランブリング部３５０は、入力された連結・多重された制御情報要素群のデータに対して所定のスクランブリングパターンを乗じ、スクランブリングパターンを乗じたデータをＱＰＳＫ変調部３６０へ出力する。
【００４３】
ＱＰＳＫ変調部３６０は、入力されたデータに対してＱＰＳＫ変調を行い、インタリーブ部３７０へ出力する。
【００４４】
インタリーブ部３７０は、入力されたデータに対してインタリーブを行い、サイクリックシフト部３８０へ出力する。
【００４５】
サイクリックシフト部３８０は、入力されたデータに対してサイクリックシフトを乗じて、ＰＤＣＣＨ変調部１０１の出力として電力調整部１０５へ出力する。
【００４６】
このような構成を有する基地局装置１００は、重複する制御情報要素を、制御チャネルシンボルに含めて送信することができる。これにより、基地局装置１００は、制御チャネルシンボルの送信電力を低減しつつ制御情報を重複させて送信することができる。したがって、基地局装置１００は、周辺への干渉を抑制すると同時に、自局の通信相手における下り制御情報の受信品質の劣化を抑制することができる。
【００４７】
図４（Ａ）は、ＭｅＮＢの下り信号のサブフレーム構成の一例を示す図である。また、図４（Ｂ）は、小型ｅＮＢである基地局装置１００の下り信号のサブフレーム構成の一例を示す図である。なお、これらの図は、１つのリソースブロック（ＲＢ）について図示したものであり、実際のフレーム構成では複数のリソースブロック（ＲＢ）で構成される。図４において、ドットを付したシンボルには、ＣＣＨシンボル、または、ＰＣＦＩＣＨ／ＰＨＩＣＨの制御信号が配置され、斜線のシンボルには、参照信号が配置される。
【００４８】
図４に示すように、ＭｅＮＢ及び小型ｅＮＢが送信する下り信号の各サブフレームは、例えば、１４ＯＦＤＭシンボルから成る。ＣＣＨシンボル及びＰＣＦＩＣＨ／ＰＨＩＣＨの制御信号は、各サブフレームの先頭から３つのＯＦＤＭシンボルの範囲内で、１つのリソースブロック（ＲＢ）の中では、１２サブキャリアに分割されて配置される。
【００４９】
ＭｅＮＢは、配下のＭＵＥの数が多く、送信すべき制御情報の量も多い。したがって、ＭｅＮＢの下り信号では、図４（Ａ）に示すように、３つのＯＦＤＭシンボルがＣＣＨ領域として使用される（ＣＦＩ＝３）。一方、小型ｅＮＢは、配下の通信端末装置（以下、「ＨＵＥ」と記載する）の数が少なく、送信すべき制御情報の量も少ない。したがって、小型ｅＮＢの下り信号では、例えば、図４（Ｂ）に示すように、１つのＯＦＤＭしかＣＣＨ領域として使用されない（ＣＦＩ＝１）。すなわち、小型ｅＮＢの下り信号では、ＣＣＨ領域として利用可能な領域に空きがある場合が多い。
【００５０】
したがって、小型ｅＮＢである基地局装置１００は、この空き領域が存在する場合には、これを利用して、制御情報要素を重複して制御チャネルシンボルに含めることができる。
【００５１】
次に、本発明の実施の形態１における通信端末装置２００の構成について、図５を用いて詳細に説明する。本実施の形態では、通信端末装置２００がＨＵＥである場合について説明する。
【００５２】
図５は、本実施の形態における通信端末装置２００の構成を示すブロック図である。
【００５３】
通信端末装置２００は、アンテナ２０１と、ＲＦ部２０２と、ＣＰ除去部２０３と、ＦＦＴ部２０４と、等化部２０５と、リソースデマッピング部２０６と、チャネル分離部２０７と、ＳＣＨ復調部２０８と、ＰＤＣＣＨ復調部２０９と、ＰＣＦＩＣＨ／ＰＨＩＣＨ復調部２１０とから主に構成される。アンテナ２０１〜チャネル分離部２０７は、受信手段に対応する。ＰＤＣＣＨ復調部２０９は、制御チャネル復調手段に対応する。
【００５４】
アンテナ２０１は、基地局装置１００から高周波信号を受信してＲＦ部２０２へ出力する。
【００５５】
ＲＦ部２０２は、入力された高周波信号をベースバンド信号に周波数変換して、ＣＰ除去部２０３へ出力する。
【００５６】
ＣＰ除去部２０３は、入力されたベースバンド信号であるＯＦＤＭ信号より、あらかじめ定めたＯＦＤＭシンボルのシンボルタイミングに基づきＣＰを除去する。また、ＣＰ除去部２０３は、ＣＰを除去したＯＦＤＭ信号を、ＦＦＴ部２０４へ出力する。
【００５７】
ＦＦＴ部２０４は、入力されたＯＦＤＭ信号に対し、ＯＦＤＭ復調処理である離散フーリエ変換処理を行い、離散フーリエ変換処理を行ったＯＦＤＭ信号を、等化部２０５へ出力する。
【００５８】
等化部２０５は、入力されたＯＦＤＭ信号から参照信号を抽出する。また、等化部２０５は、抽出した参照信号とあらかじめ記憶する参照信号のレプリカとを用いて伝搬路のチャネル応答を求め、求めた伝搬路のチャネル応答よりチャネル推定値を求める等して、ＯＦＤＭ信号の等化処理を行う。また、等化部２０５は、等化処理後のＯＦＤＭ信号を、リソースデマッピング部２０６へ出力する。ここで、チャネル推定値を求める方法としては、ＥＧＣ（equal gain combining）またはＭＭＳＥ（minimum mean square error）等の様々な方法を用いることができる。
【００５９】
リソースデマッピング部２０６は、入力されたシンボル番号情報に基づいて、等化部２０５から入力したＯＦＤＭ信号より、自局に必要なデータを抽出する。具体的には、リソースデマッピング部２０６は、シンボル番号情報のシンボル番号がＣＣＨ領域のＯＦＤＭシンボルをマッピングしているｔ０〜ｔ２である場合、自局に割り当てられたＣＣＨシンボルやＰＣＦＩＣＨ／ＰＨＩＣＨの制御信号を、これらのＯＦＤＭシンボルから抽出する。また、リソースデマッピング部２０６は、シンボル番号情報のシンボル番号がＳＣＨ領域のＯＦＤＭシンボルをマッピングしているｔ３〜ｔ１３である場合、あらかじめ抽出したＣＣＨシンボルから自局宛のＳＣＨシンボルが割り当てられているリソースを特定する。そして、リソースデマッピング部２０６は、当該リソースからのＳＣＨシンボルのみを抽出する。そして、リソースデマッピング部２０６は、抽出したＣＣＨシンボル、ＳＣＨシンボル及びＰＣＦＩＣＨ／ＰＨＩＣＨの制御信号を、チャネル分離部２０７へ出力する。
【００６０】
チャネル分離部２０７は、シンボル番号情報に基づいて、リソースデマッピング部２０６から入力されたシンボル番号ｔ０〜ｔ２のＯＦＤＭシンボルのうち、ＣＣＨシンボルを、ＰＤＣＣＨ復調部２０９へ出力する。また、同じシンボル番号ｔ０〜ｔ２のＯＦＤＭシンボルのうち、ＰＣＦＩＣＨ／ＰＨＩＣＨの制御信号を、ＰＣＦＩＣＨ／ＰＨＩＣＨ復調部２１０へ出力する。また、チャネル分離部２０７は、リソースデマッピング部２０６から入力されたシンボル番号ｔ３〜ｔ１３のＳＣＨシンボルを、ＳＣＨ復調部２０８へ出力する。
【００６１】
ＳＣＨ復調部２０８は、入力されたＳＣＨシンボルを復調してＳＣＨデータとして出力する。また、ＰＣＦＩＣＨ／ＰＨＩＣＨ復調部２１０は、入力されたＰＣＦＩＣＨ／ＰＨＩＣＨの制御信号を復調して、それぞれの制御信号として出力する。
【００６２】
ＰＤＣＣＨ復調部２０９は、入力されたＣＣＨシンボルを復調して制御情報として出力する。ここで、本実施の形態におけるＰＤＣＣＨ復調部２０９は、同一の制御情報に基づく複数の制御情報要素群から、元の制御情報を復調する。本実施の形態に係るＰＤＣＣＨ復調部２０９の構成については後述する。
【００６３】
図６は、ＰＤＣＣＨ復調部２０９の構成を示すブロック図である。
【００６４】
ＰＤＣＣＨ復調部２０９は、サイクリックシフト部４１０と、デインタリーブ（de-interleaving）部４２０と、ＱＰＳＫ復調部４３０と、デスクランブリング（de-scrambling）部４４０と、分割分離部４５０と、情報合成部４６０と、復号化部４７０と、ＣＲＣチェック部４８０とから主に構成される。これらの機能部のうち、情報合成部４６０、復号化部４７０及びＣＲＣチェック部４８０は、制御情報毎に設けられるか、または、制御情報毎に個別処理を行う。
【００６５】
サイクリックシフト部４１０は、ＰＤＣＣＨ復調部２０９に入力されたＣＣＨシンボルに対してサイクリックシフトを乗じ、得られた信号列をデインタリーブ部４２０へ出力する。
【００６６】
デインタリーブ部４２０は、入力された信号列をデインタリーブして、ＱＰＳＫ復調部４３０へ出力する。
【００６７】
ＱＰＳＫ復調部４３０は、入力された信号をＱＰＳＫ復調し、デスクランブリング部４４０へ出力する。
【００６８】
デスクランブリング部４４０は、入力された信号を、送信側（ここでは基地局装置１００）と同じスクランブリングパターンを乗じてデスクランブリングし、分割分離部４５０へ出力する。
【００６９】
分割分離部４５０は、入力された信号を制御情報要素群毎に分離・分割し、制御情報要素群単位で情報合成部４６０へ出力する。この分離は、例えば、簡易な復号化処理を行って制御情報要素群のまとまりを検知する方法が一般的に採用され、その検知結果に基づいて行えば良い。なお、この簡易な復号化処理を行う場合には、端末毎に指定される復号化時のパラメータを適用することにより、当該通信端末装置２００宛の制御情報要素群のみを検知することができる。
【００７０】
情報合成部４６０は、同一の制御情報から重複して生成された複数の制御情報要素群を合成して、元の符号化された制御情報を復元する。情報合成部４６０は、合成部４６１及びレートデマッチング（rate de-matching）部４６２を有する。
【００７１】
合成部４６１は、分割分離部４５０から入力された複数の制御情報要素群を合成して、１つの制御情報要素群（元のパンクチャリングされた制御情報）として復元し、レートデマッチング部４６２へ出力する。この合成は、例えば絵羽、最大比合成により行えば良い。
【００７２】
レートデマッチング部４６２は、入力された制御情報要素群に対しパンクチャリングによって削減されたビット空間を再製し、符号化時のビット長に復元された制御情報を、復号化部４７０へ出力する。
【００７３】
復号化部４７０は、入力された制御情報を復号化し、元のＣＲＣが付加された制御情報を復元して、ＣＲＣチェック部４８０へ出力する。
【００７４】
ＣＲＣチェック部４８０は、入力された制御情報に対し、ＣＲＣを用いて制御情報の誤り検出・訂正を行い、誤り検出・訂正が行われた制御情報を、ＰＤＣＣＨ復調部２０９の出力として出力する。
【００７５】
このような構成を有する通信端末装置２００は、基地局装置１００が送信した、重複する制御情報要素群を含む制御チャネルシンボルから、重複する制御情報要素群を合成して元の制御情報を取得することができる。すなわち、通信端末装置２００は、合成利得を得ることができることから受信性能の改善を図ることができ、ＰＤＣＣＨの送信電力が低減されている場合でも、下り制御情報の受信品質の劣化を抑制することができる。
【００７６】
このように、本実施の形態によれば、同一の制御情報から生成された重複する制御情報要素群を制御チャネルシンボルに含めるので、制御情報受信のゲインを上げることができ、その分、ＰＤＣＣＨの送信電力を低減することが可能となる。すなわち、本実施の形態によれば、周辺への干渉を抑制しつつ、ＨＵＥの制御情報の受信品質の劣化を抑制することができる。
【００７７】
（実施の形態２）
本発明の実施の形態２は、同一の制御情報に対して複数の異なるレートマッチングパターンを適用して得られた複数の制御情報要素を配置した制御チャネルシンボルを生成する。以下に、本実施の形態に係る基地局装置１００が実施の形態１に係る基地局装置１００と異なる点は、情報重複部３３０の構成のみである。また、本実施の形態に係る通信端末装置２００が実施の形態１に係る通信端末装置２００と異なる点は、情報合成部４６０の構成のみである。したがって、情報重複部３３０及び情報合成部４６０についてのみ説明を行う。
【００７８】
図７は、本実施の形態におけるＰＤＣＣＨ変調部１０１の構成を示すブロック図である。
【００７９】
図７に示すように、情報重複部３３０は、第１のレートマッチング部３３３及び第２のレートマッチング部３３４を有する。
【００８０】
第１のレートマッチング部３３３及び第２のレートマッチング部３３４は、符号化部３２０から入力された制御情報に対し、パンクチャリングを行って、連結多重部３４０に出力する。ここで、第１のレートマッチング部３３３及び第２のレートマッチング部３３４は、互いに異なるパンクチャリングパターンで、パンクチャリングを行う。したがって、情報重複部３３０は、同一の制御情報に基づく、異なる複数の制御情報要素群を、連結多重部３４０に出力することになる。
【００８１】
図８は、本実施の形態におけるＰＤＣＣＨ復調部２０９の構成を示すブロック図である。
【００８２】
図８に示すように、情報合成部４６０は、第１のレートデマッチング部４６３、第２のレートデマッチング部４６４及び合成部４６５を有する。
【００８３】
第１のレートデマッチング部４６３は、分割分離部４５０から入力した制御情報要素群から、パンクチャリングによって削減されたビット空間を再製して、符号化時のビット長の制御情報Ａを復元し、合成部４６５へ出力する。ここで、第１のレートデマッチング部４６３は、基地局装置１００の第１のレートマッチング部３３３が生成した制御情報要素群を入力し、第１のレートマッチング部３３３のマッチングパターンに対応したデマッチング処理を行う。
【００８４】
第２のレートデマッチング部４６４は、分割分離部４５０から入力した制御情報要素群から、パンクチャリングによって削減されたビット空間を再製して、符号化時のビット長の制御情報Ｂを復元し、合成部４６５へ出力する。ここで、第２のレートデマッチング部４６４は、基地局装置１００の第２のレートマッチング部３３４が生成した制御情報要素群を入力し、第２のレートマッチング部３３４のマッチングパターンに対応したデマッチング処理を行う。
【００８５】
合成部４６５は、第１のレートデマッチング部４６３及び第２のレートデマッチング部４６４から入力した制御情報Ａおよび制御情報Ｂを最大比合成する。合成された制御情報を、復号化部４７０へ出力する。なお、制御情報Ａと制御情報Ｂでは、レートマッチングのパターンが異なるため、パンクチャリングで削減（消失）されるビットが異なる。したがって、制御情報Ａと制御情報Ｂを合成することにより、パンチャリングで消失するビットを全て復元することが可能となる。
【００８６】
このように、本実施の形態によれば、重複する制御情報要素群をそれぞれ異なるマッチングパターンでマッチング処理を行うため、元の制御情報をより高い精度で復元することが可能となり、更なる干渉レベルの低減を図ることができる。
【００８７】
なお、上記の実施の形態１及び実施の形態２において、小型ｅＮＢ及びＨＵＥに本発明を適用したが、本発明の適用対象はこれに限らず、ＭｅＮＢ及びＭＵＥに本発明を適用してもよい。また、上記各実施の形態においては、制御情報要素群の重複数を２としたが、ＣＣＨシンボルに割り当てられるＯＦＤＭシンボル数の最大値の範囲内で、３つ以上の重複する制御情報要素群を制御チャネルシンボルに配置しても良い。また、重複する制御情報要素群の数は、固定値であっても良いし、ＨＵＥの数や制御情報の量に応じた変動値であっても良い。また、基地局装置は、制御情報要素群を重複させるか否かに応じて送信電力を切り替え、制御情報要素群を重複させる場合の送信電力を、制御情報要素群を重複させない場合の送信電力よりも低減させるようにしても良い。さらに、基地局装置は、重複させる制御情報要素群の数に応じて、送信電力の低減量を可変させても良い。
【産業上の利用可能性】
【００８８】
本発明にかかる基地局装置、通信端末装置及び送信方法は、周辺基地局装置に与える干渉を抑制しつつ、基地局装置の通信相手である通信端末装置における下り制御データの受信品質の劣化を抑制することができる基地局装置、通信端末装置及び送信方法として有用である。すなわち、本発明は、例えば、小型基地局装置とマクロセルを形成する基地局装置との下り制御チャネルの干渉を緩和する場合に好適である。
【符号の説明】
【００８９】
１００  基地局装置
１０１  ＰＤＣＣＨ変調部
１０２  ＳＣＨ変調部
１１２  ＰＣＦＩＣＨ／ＰＨＩＣＨ変調部
１０３  干渉電力測定部
１０４  電力係数算出部
１０５  電力調整部
１０６  チャネル選択部
１０７  リソースマッピング部
１０８  ＩＦＦＴ部
１０９  ＣＰ付加部
１１０、２０２  ＲＦ部
１１１、２０１  アンテナ
２００  通信端末装置
２０３  ＣＰ除去部
２０４  ＦＦＴ部
２０５  等化部
２０６  リソースデマッピング部
２０７  チャネル分離部
２０８  ＳＣＨ復調部
２０９  ＰＤＣＣＨ復調部
２１０  ＰＣＦＩＣＨ／ＰＨＩＣＨ復調部
３１０  ＣＲＣ付加部
３２０  符号化部
３３０  情報重複部
３３１  レートマッチング部
３３２  レピティション部
３３３  第１のレートマッチング部
３３４  第２のレートマッチング部
３４０  連結多重部
３５０  スクランブリング部
３６０  ＱＰＳＫ変調部
３７０  インタリーブ部
３８０、４１０  サイクリックシフト部
４２０  デインタリーブ部
４３０  ＱＰＳＫ復調部
４４０  デスクランブリング部
４５０  分割分離部
４６０  情報合成部
４６１、４６５  合成部
４６２  レートデマッチング部
４６３  第１のレートデマッチング部
４６４  第２のレートデマッチング部
４７０  復号化部
４８０  ＣＲＣチェック部
【図１】
2012044531.tif 000003
【図２】
2012044531.tif 000004
【図３】
2012044531.tif 000005
【図４】
2012044531.tif 000006
【図５】
2012044531.tif 000007
【図６】
2012044531.tif 000008
【図７】
2012044531.tif 000009
【図８】
2012044531.tif 000010